(57)【要約】  【課題】キャデイバッグの胴体に収容されるゴルフクラブが口枠内部で中央部に集まらないようにして、各ゴルフクラブの番手確認が容易に出来ると共に胴体内への挿入、抜き取りがスムーズに行えるようにする。  【解決手段】  キャデイバッグの胴体の上端開口に内嵌される口枠内に複数の仕切板を備え、これら仕切板は正面側から背面側に向けて右方向にいくに従い背面側へ斜め右下に傾斜させた右傾斜板と、左方向にいくに従い背面側に斜めに左下に傾斜させた左傾斜板を備え、これら左右傾斜板の外側端は上記口枠の左右側枠に連結され、該右傾斜板と左傾斜板により仕切られた各区分空間は中央部側より左右側縁と連結する外周側が背面側へ傾斜している。これにより収容するゴルフクラブを左右両側へと分散させている。  【選択図】  図３
2005152392.tif 000002
【特許請求の範囲】
【請求項１】
キャデイバッグの胴体の上端開口に内嵌される口枠内に複数の仕切板を備え、これら仕切板は正面側から背面側に向けて右方向にいくに従い背面側へ斜め右下に傾斜させた右傾斜板と、左方向にいくに従い背面側に斜め左下に傾斜させた左傾斜板を備え、これら左右傾斜板の外側端は上記口枠の左右側枠に連結され、該右傾斜板と左傾斜板により仕切られた各区分空間は中央部側より左右側縁と連結する外周側が背面側へ傾斜してることを特徴とするキャデイバッグ。
【請求項２】
上記胴体の正面側の上部外面にショルダーベルトが設けられるものである請求項１に記載のキャデイバッグ。
【請求項３】
上記口枠内の仕切板で仕切られた各区分空間は、中央部側より左右両側に向けて次第に面積を拡大させている請求項１または請求項２に記載のキャデイバッグ。
【請求項４】
上記左右傾斜板の内側端を隣接する左右傾斜板に連結させ、該右傾斜板と左傾斜板を交互に順次連続させ、或いは左右いずれか一方の傾斜板に左右いずれか他方の傾斜板を複数枚間隔をあけて連結している請求項１乃至請求項３のいずれか１項に記載のキャデイバッグ。
【請求項５】
上記右傾斜板と左傾斜板の少なくとも一部の内側端の連結点は、正面側中心と背面側中心とを結ぶ前後中心線よりズラせ、上記区分空間の中央部側を左側端あるいは右側端より前後中心線を越えて延在させている請求項１乃至請求項４のいずれか１項に記載のキャデイバッグ。  
【請求項６】
上記右傾斜板と左傾斜板の内側端は、正面側中心と背面側中心とを結ぶ前後中心板の両面に連続させ、該連続位置は対向位置あるいは前後方向に位置ずれさせている請求項１乃至請求項４のいずれか１項に記載のキャデイバッグ。
【請求項７】
上記右傾斜板と左傾斜板とは直線状傾斜板あるいは／および曲線状傾斜板からなる請求項１乃至請求項６のいずれか１項に記載のキャデイバッグ。
【請求項８】
上記右傾斜板と左傾斜板の傾斜角度は、正面側中心と背面側中心とを結ぶ前後中心線と直交する左右直線に対する傾斜角度αを５度以上４５度以下としている請求項１乃至請求項７のいずれか１項に記載のキャデイバッグ。
【請求項９】
キャデイバッグの胴体の上端開口に内嵌される口枠内に複数の仕切板を備え、これら仕切板は円弧板と、正面側から背面側に向けて右方向にいくに従い背面側へ斜め右下に傾斜させた右傾斜板あるいは／および正面側から背面側に向けて左方向にいくに従い背面側へ斜め左下に傾斜させた左傾斜板とからなり、
上記円弧板の両端を上記口枠内面に連結すると共に、上記傾斜板の一端を円弧板に連結すると共に他端を上記口枠に連結させていることを特徴とするキャデイバッグ。
【請求項１０】
上記仕切板の個数は３枚〜７枚の範囲とし、これら仕切板で仕切られる空間の個数は４個〜８個としている請求項１乃至請求項９のいずれか１項に記載のキャデイバック。
【請求項１１】
上記口枠は正面側中心と背面側中心を結ぶ前後中心線が長軸、左右側中心を結ぶを左右中心線が短軸となる楕円形状あるいは長縁形状である請求項１乃至請求項１０のいずれか１項に記載のキャデイバッグ。
【請求項１２】
上記口枠は正面側中心から背面側中心に向けて山型状で且つ正面側の中心上端は背面側の中心上端よりキャデイバッグの長さ方向において上方へ突出させていると共に、正面側の中心から山型頂点までの距離が該山形頂点から背面側の中心までの距離より短くしている請求項１乃至請求項１１のいずれか１項に記載のキャデイバッグ。
【請求項１３】
上記口枠全体および開口端側の左右傾斜板の上部を剛性材で形成すると共に、該左右傾斜板の下部は弾性材で形成している請求項１乃至請求項１２のいずれか１項に記載のキャデイバッグ。
【発明の詳細な説明】
【技術分野】
【０００１】
本発明は、ゴルフ用具を収容するキャデイバッグに関し、特に、キャデイバッグの上端開口に内嵌する口枠内の仕切板の形状を改良し、収容するゴルフクラブが重なり合わないようにしてゴルフクラブの番手を識別し易くすると共に、抜き出し易くするものである。
【背景技術】
【０００２】
キャデイバッグは、通常、図１０に示すように、ゴルフクラブ収容部となる上端開口の筒状の胴体１の背面側１ｂの外面全面および正面側１ａの外面下部に小物ゴルフ用具用の収容袋２、３が取り付けられていると共に、正面側１ａにショルダーベルト４が取り付けられている。上端開口１ｃには、図１１（Ａ）〜（Ｄ）に示すような、内部に仕切板５を取り付けた口枠６が内嵌され、仕切板５で区分けされた空間Ａ、Ｂ、Ｃ…を通してゴルフクラブを挿入している。ゴルフクラブ収容後はカバー７を被せてゴルフクラブのヘッドを保護している。
【０００３】
図１１（Ａ）は登録実用新案公報第３０４２５０４号（特許文献１）に開示された構造で、口枠６の中央部に左右方向の１枚の仕切板５が取り付けられている。
この図１１（Ａ）に示す単純な構造では、大きく２つの仕切空間Ａ，Ｂに仕切られているだけであるため、挿入するゴルフクラブの位置が規制されず、互いに重なった状態となりゴルフクラブを分別しにくくなる。
【０００４】
ゴルフコースにおいて、キャデイバッグは図１２に示すようにカート９に搭載され、収容袋２が全面に亙って設けられた背面側１ｂが下向きで（図１２（Ａ）の矢印Ｑ方向）、ショルダーベルト４が取り付けられた正面側１ａが上向き（図面１２（Ａ）の矢印Ｐ方向）となって、カート９のフレーム９ａに立て掛けられる。（特開平２００３−１０２８８８号公報参照）
この状態で、上端開口１ｃの口枠６も正面側１ａが上方で、背面側１ｂが下方となるように傾けられ、口枠６内の仕切空間Ａ，Ｂ内でそれぞれ下部中央にゴルフクラブＣＳが集まりやすい。
【０００５】
図１１（Ｂ）に示す口枠６内の仕切板５は、正面側１ａの左右中心位置と背面側１ｂの左右中心位置を結ぶ前後仕切板５ａと、該前後仕切板５ａと直交する複数の左右仕切板５ｂとからなり、これら仕切板５ａと５ｂとにより左右対称の空間ＡとＢ、ＣとＤ〜ＧとＨを設けている。
この図１１（Ｂ）の構成の場合も、特に、正面側および背面側の両側の空間ＡとＢ、ＧとＨでは中央部側が側面側よりも面積が広いため中央に集まりやすく、かつ、キャデイバックが前記したようにカートに斜めに立て掛けられた時や、ショルダーベルトで担いた時に、下方の背面側に集まりやすい。また、各空間Ａ〜Ｆでは、各空間の下方位置を規定する仕切りが左右方向に延びているために、ゴルフクラブが中央を含む全域に広がって配されることになる。
図１１（Ｃ）（Ｄ）に示す特殊な構造とした場合においても、背面側の空間Ａではゴルフクラブが中央に集まりやすく、また、中央位置の空間Ｂに挿入されたゴルフクラブが口枠の中心付近に位置するものとなる。
【０００６】
上記したように、口枠内に仕切板を取り付けて区分空間を設けても、挿入されるゴルフクラブは左右方向での中央位置で口枠の中心付近に位置しやすくなる。このようにゴルフクラブが集まると、使用するゴルフクラブが抜き出しにくくなり、かつ、ゴルフクラブが重なるため番手の視認性が悪くなり、番手を一目で確認できなくなる等の問題がある。
【特許文献１】登録実用新案公報第３０４２５０４号
【特許文献２】特開平２００３−１０２８８８号
【発明の開示】
【発明が解決しようとする課題】
【０００７】
本発明は上記した問題に鑑みてなされたもので、口枠内の仕切板を改良して、仕切板により区分けされた空間内において、ゴルフクラブが中央部に集まって重ならないようにして、ゴルフクラブの番手確認が容易となるように視認性を高めると共に、ゴルフクラブを胴部から抜き出し易くすることを課題としている。
【課題を解決するための手段】
【０００８】
上記課題を解決するため、本発明は、キャデイバッグの胴体の上端開口に内嵌される口枠内に複数の仕切板を備え、これら仕切板は正面側から背面側に向けて右方向にいくに従い背面側へ斜め右下に傾斜させた右傾斜板と、左方向にいくに従い背面側に斜めに左下に傾斜させた左傾斜板を備え、これら左右傾斜板の外側端は上記口枠の左右側枠に連結され、該右傾斜板と左傾斜板により仕切られた各区分空間は中央部側より左右側縁と連結する外周側が背面側へ傾斜していることを特徴とするキャデイバッグを提供している。
なお、左方向および右方向とは、口枠をキャデイバッグの上方（外側）から観察した時に、正面側を上側、背面側を下側と決めた時の左側を左方向、右側を右方向としたものである。
【０００９】
上記胴体の正面側の上部外面にショルダーベルトが設けられ、該正面側の下部外面と背面側外面にゴルフ用具収容袋が設けられ、カート搭載時には正面側が上面、背面側が下面としてカートのフレームに立て掛けられるものである。また、ショルダーベルトにて人間がキャデイバッグを担ぐ際には、ショルダーベルトが取り付けられる正面側が上側で、背面側が下側となる傾斜状態になる。
【００１０】
口枠内の仕切板を、上記のように、カート搭載時及び人間がキャデイバッグを担ぐ時、下面側となる背面側に向けて下方傾斜させているため、これら右傾斜板と左傾斜板とにより仕切られた各空間はいずれも左下、右下へと下方傾斜する。よって、各空間に挿入されるゴルフクラブは左下、右下へと傾斜移動し、左右両側に分散された状態でとなり、口枠中央部に集まることが防止できる。このように中央部側にゴルフクラブが存在しない空き空間が発生すると、該空き空間を通してゴルフクラブの番手を確認し易くなると共に、空き空間を利用してゴルフクラブを抜き出し易くなる。
また、ゴルフクラブを挿入する時に、挿入したゴルフクラブは左下、右下へと傾斜移動するため、常に中央部に挿入用の空き空間ができ、ゴルフクラブの挿入も容易となる。
【００１１】
上記口枠内の仕切板で仕切られた各区分空間は、中央部側より左右両側に向けて次第に面積を拡大させていることが好ましい。
このように、左右両側部に向けて面積を拡大すると、挿入されるゴルフクラブはより左右両側（左下、右下）により移動し易くなると共に、１つの空間に複数のゴルフクラブが挿入された際に、左右両側に移動したゴルフクラブ同士が重なり合わないようにすることができる。
【００１２】
上記左右傾斜板の内側端は隣接する左右傾斜板に連結させ、該右傾斜板と左傾斜板を交互に順次連続させ、或いは左右いずれか一方の傾斜板に左右いずれか他方の傾斜板を複数枚間隔をあけて連結している。
即ち、口枠内において前記図１１（Ｂ）に示す背面側中心と正面側中心とを連結する前後中央仕切板を設けず、仕切板を全て右傾斜板と左傾斜板とから構成している。
左右傾斜板の連結は、前記のように、右傾斜板と左傾斜板とを交互に順次連結しても良いし、右傾斜板の２枚の左傾斜板を間隔をあけて連結してもよい。
いずれの場合も、左右傾斜板により仕切られて背面側に向けて夫々左下、右下へと傾斜する各空間は左右方向に長いものとなり、口枠に接する外周側から順次中央部側に向けて複数のゴルフクラブを分散配置することができる。
なお、背面側端の空間には、仕切りの区画数を増加させる目的で、背面側中心位置に連結する前後仕切板を取り付け、左右方向に仕切られた空間を設けてもよい。
【００１３】
上記右傾斜板と左傾斜板の少なくとも一部の内側端の連結点は、背面側中心と正面側中心とを結ぶ前後中心線よりズラせ、上記区分け空間の中央部側を左側端あるいは右側端より前後中心線を越えて延在させることが好ましい。
このように、左右傾斜板の内側端の連結点を上記前後中心線よりズラせると、さらに、各区分け空間の左右方向の長さを大とすることができる。
その際、右傾斜板と左傾斜板の外側端が口枠に連結する位置を前後方向にズラせると、区分空間に収容されるゴルフクラブが左右両側に分散されるとともに前後方向にもズレるため、中央の空き空間が広がり、ゴルフクラブの視認性を高められると共に、中央の空き空間よりゴルフクラブを抜き出し易くなる。
【００１４】
一方、上記右傾斜板と左傾斜板の内側端は、背面側中心と正面側中心とを結ぶ前後中心板の両面に連続させ、該連続位置は対向位置あるいは前後方向に位置ずれさせてもよい。
キャデイバッグが大型で口枠が大きい場合、まず、左右領域を前後中心板を取り付けて、左右方向に２分割し、各左右領域内において傾斜仕切板を取り付けて前後方向に区分けしている。この場合も、傾斜仕切板により仕切れらた各領域は口枠連結側の左右側縁に向けて下方傾斜するため、各区分空間に挿入したゴルフクラブを左右両側に分散配置することができる。
【００１５】
上記右傾斜板と左傾斜板とは直線状傾斜板あるいは／および曲線状傾斜板からなる。
上記直線状あるいは曲線状のいずれであっても、右傾斜板と左傾斜板の傾斜角度は、背面側中心と正面側中心とを結ぶ前後中心線と直交する左右直線に対する傾斜角度αを５度以上４５度以下としている。
なお、傾斜角度は０゜を越えれば良いが、５゜以上傾斜させることにより左右両側へのゴルフクラブの分散性を確実なものとできる。該傾斜角度は、さらに、１０゜以上、１５゜以上、２０゜以上がより好ましいものとなる。一方、上限は４５゜を越えると中央部側の面積が狭くなるため、中央側からのゴルフクラブの抜き出し、挿入が困難となる。好ましくは、３５゜以下、最も好ましくは３０゜以下である。  
【００１６】
なお、上記口枠内に設ける仕切板は上記左右傾斜板および前後中心仕切板に限定されず、両端を口枠に連結する円弧板を設け、上記傾斜板の一端を円弧板に連結すると共に他端を上記口枠に連結させてもよい。
この場合、円弧板と口枠に囲まれた部分を小仕切空間としてウッド型ゴルフクラブをそれぞれ挿入できるようにしている。
【００１７】
上記仕切板の枚数は３枚〜７枚の範囲とするのが好ましく、さらに好ましくは４枚〜６枚で、仕切板で仕切られる空間は４個〜８個、さらに好ましくは５〜７個である。
仕切板の枚数を増やして仕切り空間の個数を増加すると、各区分け空間の面積が狭くなり、ゴルフクラブの抜き出し及び挿入がしにくくなる一方、仕切板の枚数が少なして各仕切り空間の面積を広くしすぎると、各空間の左右両側縁側でゴルフクラブが集まり易くなる。よって、上記した範囲とすることが好ましい。
【００１８】
上記口枠の形状は、特に限定されないが、背面側中心と正面側中心を結ぶ前後中心線が長軸、左右側中心を結ぶを左右中心線が短軸となる楕円形状あるいは長円形状とすることが好ましい。なお、真円形状や矩形状であってもよい。
【００１９】
環状の口枠自体も、カート搭載時やショルダーベルトで担ぐ際に、上面側となる正面側中心から下面側となる背面側中心に向けて全体的に、キャデイバッグの長さ方向で下方傾斜させ、口枠上端を水平とする場合と比較して口枠面積を拡大させている。
詳細には、上記口枠は正面側中心から背面側中心に向けて山型状で且つ正面中心の上端中心は背面中心の上端よりキャデイバッグの長さ方向において上方へ突出させていると共に、正面側中心から山型頂点までの距離が該山形頂点から背面側中心までの距離より短くしている。
上記形状とすると、カート搭載時に下方傾斜する口枠の下方傾斜面を大とでき、ゴルフクラブの抜き出しをよりスムーズに行える。かつ、山型状とすることで、キャデイバッグを垂直配置した状態でゴルフクラブの向きを平均化でき、バランス良く安定保持することができる。
【００２０】
上記口枠全体および上記仕切板の開口端側上部は、ゴルフクラブを支える必要があるため剛性材で形成している。かつ、仕切板の下部は弾性材で形成している。
具体的には、樹脂等の剛性板をクッション性を有する織り布で包んで上部の剛性材とし、クッション性を有する織り布を下方に延長させて弾性材としている。さらに、仕切板は厚肉となっている上端面の中央より硬質枠を突出させ、ゴルフクラブの挿入時の滑りを良くしている。
上記弾性材からなる仕切板の下端には胴体底面まで延在する滑り性の良い仕切布を連続させ、これら仕切布の下端を胴体底面に載置する敷板に連結している。
これにより、口枠内で仕切板により区分けされた各空間を通して挿入したゴルフクラブは胴体内部においても互いに干渉せずに区分けされる。かつ、仕切布を仕切板と連続させていることにより、ゴルフクラブの抜き出し時に仕切板に引っ掛かって抜き出しにくくなることが防止できる。
【発明の効果】
【００２１】
上述した如く、本発明のキャデイバッグでは、ゴルフクラブの挿脱口となる口枠内部の仕切板を改良し、カート搭載時や人が担いだ時にキャデイバッグが傾斜した際、下面側となる背面側に向けて左右両側に傾斜された右傾斜板と左傾斜板とを設け、これら傾斜仕切板により仕切られた各区分空間を左下傾斜、左下傾斜としているため、各区分区間に収容したゴルフクラブは左下、右下へと移動し、中央部に集まることを防止できる。
その結果、ゴルフクラブが重ならず、各ゴルフクラブの番手の確認が容易となる等、視認性を高めることが出来ると共に、挿入時および取出時とも中央の空き空間を利用してスムーズにゴルフクラブの挿脱を行うことができる。
【発明を実施するための最良の形態】
【００２２】
以下、本発明の実施形態を図面を参照して説明する。
図１乃至図６は第一実施形態を示す。
【００２３】
キャデイバッグの胴体および該胴体外面に設けるゴルフ用品収容袋の形態、ショルダーベルトの取付位置は限定されず任意である。本実施形態では、図１（Ａ）（Ｂ）に示すように、水平断面楕円形状で縦長な筒体からなる胴体１０の背面側１０ｂの外面には略全面にわたって１つの大きな収納袋１１を取り付けている。正面側１０ａの外面には、上部にショルダーベルト１２、下部に収容袋１３を取り付けている。
【００２４】
胴体１０の上端開口１０ｃには、内部に傾斜仕切板１５を取り付けた口枠１４を内嵌固定している。胴体の上端開口１０ａは背面側中心と正面側中心とを結ぶ前後中心線Ｌ１が長軸となる楕円形状とし、背面側中心から正面側中心にかけて山型状に下降させている。
該開口１０ａに内嵌する口枠１４は開口１０ａと相似形状とし、図２に示すように、口枠１４は正面側１４ａの中心から背面側１４ｂの中心に向けて山型状で且つ正面側の左右中心の上端１４ａ−１は背面側の左右中心の上端１４ｂ−１より上方へ突出させている。かつ、正面側中心から山型頂点までの距離Ｌ３を山形頂点から背面側中心までの距離Ｌ２より短くしている。
【００２５】
図３に示すように、口枠１４内には正面側１４ａから背面側１４ｂに向けて右下に向けて傾斜させた２枚の右傾斜板１５と、左下に向けて傾斜させた３枚の左傾斜板１５とを備えている。上記左右傾斜板を交互に連続させて連結し、口枠１４の内部を５つの区分空間Ａ〜Ｆに仕切っている。
正面側から第１左傾斜板１５−１、第１右傾斜板１５−２、第２左傾斜板１５−３、第２右傾斜板１５−４、第３左傾斜板１５ー５を順次配置し、正面端側の第１左傾斜板１５−１は、その両端を口枠１４の内周面と連結している。第１右傾斜板１５−２は外側端を口枠１４の右側枠部１４ｄに連結し、内側端は第１左傾斜板１５−１に連結している。第２左傾斜板１５−３、第３右傾斜板１５−４、第３左傾斜板１５−５も同様に外側端を口枠１４に連結し、内側端を第３左傾斜板１５−５の正面側に配置される第３右傾斜板に連結している。
【００２６】
上記各傾斜板１５−１〜１５−５の内側端の連結位置Ｐ１〜Ｐ５は、上記前後中心線Ｌ１よりも左右にずらせて、左傾斜板では前後中心線Ｌ１よりも右寄り、右傾斜板では前後中心線Ｌ１より左寄りとしている。
また、各傾斜板１５−１〜１５−５の外側端と口枠１５との連結位置Ｑ１〜Ｑ５も前後方向にずらせている。
【００２７】
詳細には、同一側の隣接する外側端の連結位置の間隔を（ｂ）、隣接する左右傾斜板の外側端の連結位置の間隔を（ａ）とすると、（ａ）／（ｂ）を０．１〜０．９の範囲として、左右方向の外側連結端の位置を前後方向にずらせている。好ましくは、０．２〜０．８、特に０．３〜０７とするのが良い。このように、前後方向にずらせると、中央の空間をより大きくすることができる。
また、同一傾斜板において、前後中心線Ｌ１からのズレ量は、外側端連結位置から内側端連結位置までの寸法を（ｃ）、外側連結位置から対向する口枠までの寸法を（ｄ）とすると、（ｃ）／（ｄ）は０．５より大きく０．８以下としている。これは、０．５より小さいと傾斜板が交差しすぎてゴルフクラブの出し入れがしにくくなることによる。好ましくは０．５５〜０．７５、特に０．６〜０．７とするのが最も好ましい。
【００２８】
上記傾斜板１５のうち、左傾斜板１５−１、１５−３、１５−５は大きな曲率の曲線状として傾斜させ、右傾斜板１５−２、１５−４は直線状としている。
上記直線状あるいは曲線状のいずれであっても、右傾斜板と左傾斜板の傾斜角度（曲線の場合は内外連結点を結ぶ直線の傾斜角度）は、上記前後中心線Ｌ１と直交する左右直線Ｌ２に対する傾斜角度αを５度以上４５度以下としている。
上記傾斜角度は区分空間Ａ〜Ｆのいずれにおいても中央側より傾斜方向の右側端縁、あるいは左側端縁に向けて面積を拡大させるように設定している。
【００２９】
口枠１４の全体および仕切板となる上記左右傾斜板１５の開口端側上部は、図４に示すように、樹脂板２９の両面を、表面に織布３１を貼着したウレタンシート３０で包み、上端面で縫着（Ｈ）し、表面にクッション材を取り付けた剛性材３３としている。左右傾斜板１５の下部は上記織布３１を貼着したウレタンシート３０同士を重ねてクッション材３４としている。また、上記口枠１４の背面側の円弧部の上端面中央および左右傾斜板１５では剛性材３３の上端面の中央から、平滑面を有する硬質板３５を突出させ、該枠材３５の下部をウレタン材３０の縫着部内に挿入している。
【００３０】
さらに、図５に示すように、各傾斜板１５の下部クッション材３０に連続させて胴体の底面まで延在する仕切布３６を取り付け、該仕切布３６の下端を胴体底面に載置する敷板３７に連結している。
【００３１】
口枠１４および左右傾斜板１５からなる仕切板を備えたキャデイバッグとすると、図６（Ａ）に示す垂直配置された場合および図６（Ｂ）に示すカート搭載時に傾斜配置された場合のいずれにおいても、図３に示すように、左右傾斜板１５により仕切られた各区分空間Ａ〜Ｆは胴体１０の正面側１０ａから背面側１０ｂにむけて左下傾斜あるいは右下傾斜されているため、区分け空間Ａ〜Ｆに挿入されたゴルフクラブＧＳは左下、右下両側に移動して分散され、中央部には集まらない。
特に、カート搭載時には、図６（Ｂ）示すように背面側１０ｂが下面となり、正面側１０ａが上面となって傾斜すると、背面側にむけて左右傾斜させた各区分空間Ａ〜Ｆでは左下、右下の両側へとゴルフクラブＳＧが自重により確実に移動して、中央が空き空間（隙間）となる。よって、この空き空間となる中央側に取り出すゴルフクラブＳＧを寄せるとスムーズに抜き出すことが出来ると共に、番手の確認も容易にできる。
さらに、口枠１４を背面側が長尺となるように傾斜させているため、ゴルファーから見える口枠の内部領域Ｓ１が広がり、番手の確認が一目で出来ると共に、この背面側の区分空間に挿入されているゴルフクラブＧＳの取り出しがより容易に行える。これは図６（Ａ）に示す垂直配置の場合のゴルファーが視認できる領域Ｓ２より前記Ｓ１が広がることを意味し、カート搭載時やショルダーベルトで担ぐ時に有効となる。
【００３２】
さらに、各区分空間Ａ〜Ｆに収容したゴルフクラブＧＳはカート搭載時に下方傾斜する背面側に寄るため、これらゴルフクラブＧＳを左右傾斜板１５の上側面（正面側）および口枠１４の下端部の上側面（正面側）の円弧部で支える必要がある。これに対して、口枠１４および左右傾斜板１５の上部を剛性材で形成しているため、強度上の問題はない。かつ、口枠１４および左右傾斜板１５の上端面に滑り性のよい硬質板３５を突設しているため、挿入時に硬質板に沿ってスムーズに挿入できる。さらに、口枠１４および左右傾斜板１５の表面はクッション材で被覆しているため、ゴルフクラブＧＳへ損傷を与えることもない。
【００３３】
図７（Ａ）〜（Ｄ）は第１実施形態の変形例を示す。
図７（Ａ）は２枚の右傾斜板１５−１と１５−３、２枚の左傾斜板１５−２と１５−４とからなる４枚の仕切板を備え、区分け空間を４個としている。かつ、これら傾斜板はいずれも直線状の傾斜板としている。第１右傾斜板１５−１の外側端と口枠１５との連結位置Ｑ１と、第１左傾斜板１５−２の外側端と口枠１５との連結位置Ｑ２とを対向位置とし、同様に、第２右傾斜板１５−３、第２左傾斜板１５−４の口枠１５との連結位置Ｑ３とＱ４とも対向位置としている。他の構成は第１実施形態と同様である。
【００３４】
図７（Ｂ）は４枚の曲線状傾斜板を設け、区分空間を５個としている。第１右傾斜板１５−１に、第１左傾斜板１５−１と第２左傾斜板１５−３を前後間隔をあけて連結し、第２左傾斜板に第２右傾斜板１５−４を連結している。他の構成は第１実施形態と同様である。
【００３５】
図７（Ｃ）は図７（Ａ）の第２左傾斜板１５−４の下部に前後中心線Ｌ１に沿った前後仕切板４０を取り付けている。
図７（Ｄ）は第１実施形態と同様に左右傾斜板の外側端縁と口枠との連結位置Ｑ１〜Ｑ４を前後方向にずらせると共に図７（Ｃ）と同様に、第２左傾斜板１５−４の下部に前後中心線Ｌ１に沿った前後仕切板４０を取り付けており、キャデイバッグの傾斜時に最下端となる区分空間を左右に分割している。
図７（Ｃ）（Ｄ）も他の構成は第１実施形態と同様にしている。
【００３６】
図８（Ａ）（Ｂ）は第２実施形態を示し、大型キャデイバッグで、口枠１４が大面積である場合に適している。
図８（Ａ）では、口枠１４の正面側中心と背面側中心とを結ぶ前後中心線Ｌ１に沿った前後中心仕切板５０を設け、該前後中心仕切り板５０の左右両面に第１右傾斜板１５−１と第１左傾斜板１５−２の内側端縁を対向してＰ１とＰ２点で連結し、傾斜させた外側端縁を口枠１４にＱ１とＱ２点で連結している。よって、前後中心仕切板５０により分割された左右領域に対称となる３つの区分空間を設け、区分空間を合計６個としている。
図８（Ｂ）では、左右傾斜板１５−１〜１５−４を前後方向にずらせ、前後中心仕切板５０の左右両面に連結する内側端連結位置（Ｐ１〜Ｐ４）をずらせると共に、外側端連結位置（Ｑ１〜Ｑ４）も前後方向にずらせている。
【００３７】
第２実施形態の場合も、各区分空間は中央位置より左右両側が背面側に傾斜しているため、各区分空間に収容するゴルフクラブは左下、右下の両側に分散され、中央に集まって重なりあうことを防止できる。
【００３８】
図９は第３実施形態を示し、３つの円弧状仕切板６１、６２、６３を口枠１４の左側枠１４ｅに両端を連結して取り付けている。これら３つの円弧状仕切板６１、６２、６３の各頂点位置から口枠１４の右側枠１４ｄに向けて背面側１４ｂ（右下）へと傾斜させた３枚の右傾斜板６４、６５、６６を取り付けている。
【００３９】
上記各円弧状仕切板６１〜６３と口枠１４で囲まれた３つの小さい区分空間Ａ１〜Ａ３はそれぞれウッド型のゴルフクラブの収容位置としている。上記右傾斜板６４〜６６により仕切られた各区分空間Ｂ〜Ｅは前記第１、第２実施形態と同様に背面側に傾斜しているため、これら区分空間Ｂ〜Ｅに収容されたゴルフクラブを右下へと移動させて中央部に集まることを防止できる。
他の構成は第１実施形態と同様であるため、説明を省略する。
【００４０】
なお、発明効果を十分に達成するために、上記右傾斜板の枚数をｍ枚、左傾斜板の枚数をｎ枚、全仕切板の枚数をｐ枚とした時、ｐ−（ｍ＋ｎ）の値を２以下、さらには１以下、特にｐ＝（ｍ＋ｎ）とするのが良く、ｍとｎの差は２以下、さらに１以下とするのがよい。なお、図８に示すように、前後中心線に沿って配される左右の仕切空間を仕切る前後仕切板が前後方向に形態的に繋がる場合でも、その前後方向の形態的な繋がりを考慮することなく、別々の前後仕切板として数えるものとし、例えば、図８の場合には、前後仕切板は３枚として数えるものとする。
【００４１】
さらに、発明効果を十分に達成するために、左側端より前後中心線（正面側の左右幅方向中心位置と背面側の左右方向中心位置を結んだ中心線）を越えて延在する左側の区分空間の個数をｑ個、右側端から前後中心線を越えて延在する右側の区分空間の個数をｒ個、
全区分空間の個数をｓ個とした時、ｓ−（ｑ＋ｒ）の値を２以下、さらには１以下、特にｓ＝（ｑ＋ｒ）とするのが良く、ｑとｒの差は２以下、さらに１以下とするのがよい。なお、この個数の規定においては、図３の（Ｆ）で示されるような、前後中心線をまたいで存在する最も背面側の仕切空間は、前記左側の区分空間ではなく、かつ、右側の区分空間でもないものとして数える。具体的には、ｓ−（ｑ＋ｒ）＝１とし、前記左側の区分空間および右側の区分空間以外の区分空間として、前記の前後中心線をまたいで存在する最も背面側の仕切空間を１個のみとするのがよい。
【図面の簡単な説明】
【００４２】
【図１】本発明の第１実施形態のキャデイバッグを示し、（Ａ）は背面側から見た斜視図、（Ｂ）は正面側から見た斜視図である。
【図２】（Ａ）は口枠と該口枠内部の仕切板を示す斜視図、（Ｂ）は（Ａ）の側面図である。
【図３】（Ａ）は図２（Ａ）の平面図、（Ｂ）は傾斜板の位置関係および寸法関係および位置関係を示す説明図である。
【図４】（Ａ）は仕切板となる傾斜板の破断斜視図、（Ｂ）は断面拡大図である。
【図５】仕切板に連結された仕切り布を示す斜視図である。
【図６】（Ａ）は図１のキャデイバッグを垂直配置した状態を示す概略図、（Ｂ）はカートに搭載されて傾斜した状態を示す概略図である。
【図７】（Ａ）〜（Ｄ）は第１実施形態の変形例を示す概略図である。
【図８】（Ａ）（Ｂ）は第２実施形態を示す概略図である。
【図９】第３実施形態を示す概略図である。
【図１０】従来のキャデイバッグを示し、（Ａ）はカバーを被せた状態の斜視図、（Ｂ）はカバーの除いて口枠および仕切板を示す斜視図である。
【図１１】（Ａ）〜（Ｄ）は従来の仕切板の配置例を示す概略図である。
【図１２】（Ａ）はキャデイバッグをカートに搭載した状態を示す図面、（Ｂ）は（Ａ）をＸ矢視図である。
【符号の説明】
【００４３】
１０  胴体
１０ａ  正面側
１０ｂ  背面側
１０ｃ  上端開口
１０ｄ、１０ｅ  左右側面
１２  シャルダーベルト
１４  口枠
１４ａ  正面側
１４ｂ  背面側
１５（１５−１〜１５−５）  左右傾斜板
３３  剛性材
３４  クッション材
Ａ〜Ｆ  区分空間
Ｐ１〜Ｐ５  傾斜板の内側端の連結位置
Ｑ１〜Ｑ５  傾斜板の外側端の連結位置
【図１】
2005152392.tif 000003
【図２】
2005152392.tif 000004
【図３】
2005152392.tif 000005
【図４】
2005152392.tif 000006
【図５】
2005152392.tif 000007
【図６】
2005152392.tif 000008
【図７】
2005152392.tif 000009
【図８】
2005152392.tif 000010
【図９】
2005152392.tif 000011
【図１０】
2005152392.tif 000012
【図１１】
2005152392.tif 000013
【図１２】
2005152392.tif 000014